(57)【特許請求の範囲】
【請求項１】
外部装置から送信される画像情報に基づいて画像信号を出力する画像信号出力手段と、
画像を形成する画像形成手段と、
前記画像信号出力手段からの前記画像信号に基づいて前記画像形成手段の動作を制御する画像形成制御手段と、
用紙を給紙する給紙手段と、
前記給紙手段により給紙される前記用紙の給紙状態を監視する監視手段と、
前記監視手段による監視結果に基づいて、前記給紙手段による前記用紙の再給紙を制御する給紙制御手段とを有し、
前記画像信号出力手段は、情報を記憶するための不揮発性の記憶手段を有しており、前記画像形成制御手段からの要求信号に応じて前記給紙手段により行われた再給紙回数を書き込み、又は、読み出し可能な記憶領域を前記記憶手段内に確保し、
前記画像形成制御手段は、前記画像信号出力手段に対してデータ要求信号を送信して、前記記憶手段内の前記記憶領域に記憶される前記再給紙回数を受信して、受信した前記再給給紙回数を外部装置に出力することを特徴とする画像形成装置。
【請求項２】
複数の前記給紙手段を有し、
前記記憶手段は複数の前記給紙手段の各々について前記再給紙回数を記憶することを特徴とする請求項１記載の画像形成装置。
【発明の詳細な説明】
【０００１】
本発明は、用紙の給紙を制御する画像形成装置に関するものである。
【０００２】
【従来の技術】
従来、給紙機構によって給紙動作を行う記録装置においては、給紙ミスなどを起こした場合、ペーパージャムとして印字動作を中断していた。しかし、印字動作の中断はオペレータ処理を必要とし、記録装置の使用効率を著しく低下させている。
【０００３】
そこで、最近の記録装置では、この欠点を解消するため給紙ミスを検知した場合、即座に印字動作中断とせずに所定時間後、給紙動作再試行機能（リトライ機能と呼ぶ）によって再度給紙動作を行うものが提案されている。
【０００４】
また、記録装置の自己診断情報を電源遮断後も継続して記憶できるようなメモリをエンジンコントローラ内に備え、例えばサービス交換部品の使用経過時間などを記憶させるものも提案されている。
【０００５】
【発明が解決しようとする課題】
しかしながら、給紙ミスが検知され給紙リトライを行った場合、従来はその記録を行っていなかった。このため、給紙機構が劣化しほとんどの場合リトライによって給紙が行われて、スループットが十分保証されていない状態であってもその情報をつかむことができなかった。従って、記録装置の使用時間が増大し、給紙機構の劣化が進み、殆どの給紙がリトライ機能によってカバーされるような状態になると、スループットを著しく低下させることになる。
【０００６】
また、更に劣化が進んで給紙リトライ機能でもカバーし切れなくなると、その給紙機構は殆ど使用不能な状態に陥ってしまい、印字記録装置の使用効率をさらに低下させてしまう。
【０００７】
一方、エンジンコントローラ部に備えられるサービス交換部品の使用経過時間などを記憶させるための不揮発性メモリ等は、メモリ容量的には小規模のもので十分であるにもかかわらず、近年の半導体産業の発展と共に小規模メモリは生産が縮小されているため、エンジンコントローラが必要とする最適サイズのメモリがない場合や、あっても高価となり、不揮発性メモリを本体に搭載することを断念してしまう場合もあった。
【０００８】
このため、サービスマン等に、例えばメンティナンスデータを通知できず、市場でのサービス効率が低下してしまう等の問題点があった。
【０００９】
本発明は、上記の問題点を解決するためになされたもので、本発明の目的は、画像形成制御手段であるエンジン制御部内に不揮発性メモリを持たなくてもビデオコントローラ部に自己診断情報としての再給紙回数を電源遮断後も保持可能となり、また、エンジン制御部内に不揮発性メモリを設ける必要が無いのでエンジン制御部のコストを削減でき、自己診断情報を外部装置に出力することによってサービスマンに通知できる画像形成装置を提供することである。
【００１０】
【課題を解決するための手段】
本発明に係る第１の発明は、外部装置から送信される画像情報に基づいて画像信号を出力する画像信号出力手段と、画像を形成する画像形成手段と、前記画像信号出力手段からの前記画像信号に基づいて前記画像形成手段の動作を制御する画像形成制御手段と、用紙を給紙する給紙手段と、前記給紙手段により給紙される前記用紙の給紙状態を監視する監視手段と、前記監視手段による監視結果に基づいて、前記給紙手段による前記用紙の再給紙を制御する給紙制御手段とを有し、前記画像信号出力手段は、情報を記憶するための不揮発性の記憶手段を有しており、前記画像形成制御手段からの要求信号に応じて前記給紙手段により行われた再給紙回数を書き込み、又は、読み出し可能な記憶領域を前記記憶手段内に確保し、前記画像形成制御手段は、前記画像信号出力手段に対してデータ要求信号を送信して、前記記憶手段内の前記記憶領域に記憶される前記再給紙回数を受信して、受信した前記再給給紙回数を外部装置に出力することを特徴とする。
【００１１】
本発明に係る第２の発明は、複数の前記給紙手段を有し、前記記憶手段は複数の前記給紙手段の各々について前記再給紙回数を記憶することを特徴とする。
【００１５】
本発明に係る第６の発明は、前記記憶手段は、不揮発性メモリ媒体で構成したことを特徴とする。
【００２６】
【実施例】
〔第１実施例〕
以下に本発明の実施例を添付の図面に基づいて説明する。
【００２７】
図１は本発明を適用可能な記録装置の一例を示す概略断面図である。
【００２８】
図１において、１はレーザビームプリンタで、該レーザビームプリンタ１には記録紙Ｓを収納するカセット２３を有し、該カセット２３から記録紙Ｓをピックアップするピックアップローラ２４、更にピックアップされた記録紙Ｓをくり出す給紙ローラ２５が設けられている。
【００２９】
そして、給紙ローラ２５の下流には給紙された記録紙を後述のレジストローラ３２まで搬送する搬送ローラ２６が配設されている。
【００３０】
一方、レーザビームプリンタ１にはもう１つ非定型用紙を手差しで給紙することのできるマルチパーパストレイ（以下ＭＰＴと呼ぶ）２８を有し、ＭＰＴ２８から記録紙を送り出すためのＭＰＴ給紙ローラ３０、及びＭＰＴ２８に設定された記録紙Ｓを前記ローラ３０に押しつけるためのＭＰＴリフタ２９が設けられている。
【００３１】
そして、前記カセット２３からの記録紙搬送路２７と前記ＭＰＴ２８からの搬送路３１は合流点Ｃで合流し後述のレジストローラ３２に至る。前記合流点Ｃの下流には、記録紙Ｓを同期搬送するレジストローラ３２が配設されており、該レジストローラ３２の直前にはレジ前センサ４１が配設されている。
【００３２】
該センサ４１は用紙の接触で遮光板がフォトインタラプタを遮光することで用紙有りを検知するように構成されている。
【００３３】
また、レジストローラ３２の下流には、レーザスキャナ部３４からのレーザ光により画像を形成する画像形成部３３が配設されている。さらに、該画像形成部３３の下流には定着部３５が配設されており、定着部３５の下流には排紙搬送ローラ３６，３７，３８，３９が配設されて、排紙トレイ４０まで記録紙Ｓを搬送する。
【００３４】
図２は本発明の第１実施例を示す記録装置の制御構成を説明するブロック図であり、図１と同一のものには同一の符号を付してある。なお、図１に示したレーザビームプリンタ１は、その印字機構部（エンジン）を制御するエンジン制御部２とビデオコントローラ３等を備えている。また、エンジン制御部２は、ＣＰＵ、ＲＯＭ、ＲＡＭ、ゲート素子等から構成され、制御の主要部はＲＯＭに書き込まれたソフトウェアで実現されている。
【００３５】
さらに、エンジン制御部２とビデオコントローラ３とはビデオインタフェース５０を介して通信可能に接続されている。
【００３６】
エンジン制御部２は、用紙搬送制御手段４、給紙制御手段５、タイマ６、対ビデオコントローラ通信手段７、給紙リトライ回数記憶手段８等から構成されている。これらの諸機能によって、前記カセット２３、ピックアップローラ２４、給紙ローラ２５、搬送ローラ２６、及びそれらの駆動機構から構成されるカセット給紙機構１５、前記ＭＰＴ２８、ＭＰＴリフタ２９、ＭＰＴ給紙ローラ３０、及びそれらの駆動機構から構成されるＭＰＴ給紙機構１６、前記レジストローラ３２以降の搬送機構、及び、前記レーザスキャナ部３４、定着部３５、図示しない高圧ユニット等から構成される印字搬送機構１７を制御する。なお、、タイマ６は各制御手段での時間計測のための基本クロックを供給する。
【００３７】
また、給紙制御手段５は、カセット給紙制御手段１０、カセット給紙リトライ判断手段１１、ＭＰＴ給紙制御手段１２、ＭＰＴ給紙リトライ判断手段１３、給紙失敗検知手段９、給紙リトライ回数カウント手段１４から構成されている。
【００３８】
次に、各部の機能について説明する。
【００３９】
用紙搬送制御手段４は、用紙搬送制御の全般を管理する。ビデオコントローラ３から印字指示を受けると、予めビデオコントローラ３から指定された給紙口から用紙を給紙するよう給紙制御手段５に指示を出す。そして、給紙制御手段５から給紙完了の情報を受けると印字搬送機構１７を制御してビデオコントローラ３からの画像信号に基づき印字を行う。この間のビデオコントローラ３との情報のやり取りは全てビデオインタフェース５０を介して行う。以上の用紙搬送制御については公知であるので詳述は避ける。
【００４０】
給紙リトライ回数記憶手段８は、後述する給紙リトライ回数カウント手段１４によってカウントされる給紙リトライ回数を記憶する。給紙リトライ回数記憶手段８は不揮発性媒体、例えばＮＶＲＡＭで構成されており、電源をＯＦＦされても情報は消えない。
【００４１】
対ビデオコントローラ通信手段７、ビデオインタフェース５０、対エンジンコントローラ通信手段１８はエンジン制御部２とビデオコントローラ３との通信を制御する。ビデオコントローラ３は、図示しないホストコンピュータから送られてくる画像情報にしたがって印字画像をビットマップに展開しエンジン制御部２に対して印字指示を出すほか、エンジンに対する印字条件の指示、エンジン制御部２から送られる情報に基づくプリンタ状態の外部出力等レーザビームプリンタ１と外部とのインタフェースの役割を果たす。
【００４２】
給紙制御手段５は前記用紙搬送制御手段４からの指示に従い、所定の給紙口からレジストローラ３２までの用紙の搬送を以下のように制御する。
【００４３】
まず、指定された給紙口に応じてカセット給紙制御手段１０、ＭＰＴ給紙制御手段１２のいずれかを起動する。カセット給紙制御手段１０、ＭＰＴ給紙制御手段１２は起動されると、それぞれ前記カセット給紙機構１５、ＭＰＴ給紙機構１６を制御して前記レジストローラ３２まで用紙を搬送し、給紙が完了すると用紙搬送制御手段４に給紙完了の情報を送る。
【００４４】
また、カセット給紙、ＭＰＴ給紙のいずれの場合にも給紙失敗検知手段９が給紙の失敗状態を監視する。これは、給紙開始から前記レジ前センサ４１が用紙を検知するまでのタイミングを監視し、それぞれの給紙口に応じて予め設定されたタイミングまでに用紙を検知しなければ給紙失敗と判断する。
【００４５】
カセット給紙リトライ判断手段１１は前記給紙失敗検知手段９が給紙ミスと判断したことを受けて、同一の給紙指示に対して最初の給紙ミスであった場合には給紙リトライが必要と判断し、カセット給紙制御手段１０に給紙動作を再要求し、２回目の給紙ミスである場合には給紙系の動作不良と判断する。
【００４６】
同様にＭＰＴ給紙リトライ判断手段１３はＭＰＴ給紙についてジャムかリトライかの判断を行う。これら、給紙口選択、給紙動作、給紙失敗判断、給紙リトライ制御については公知であるので詳述は避ける。
【００５２】
以下、図３に示すフローチャートを参照して本発明に係る記録装置における給紙制御動作について説明する。
【００５３】
図３は本発明に係る記録装置における給紙制御方法の第１実施例を示すフローチャートである。なお、（１）〜（５）は各ステップを示し、給紙リトライ回数カウント手段１４が実行する制御手順に対応する。
【００５４】
まず、ステップ（１）で、いずれかの給紙口で給紙が開始されるまで待つ。給紙が開始されれば、ステップ（２）に進み、開始された給紙がリトライかどうかチェックし、リトライでないと判断された場合には、ステップ（１）に戻り次の給紙開始まで待機する。
【００５５】
一方、ステップ（２）で開始された給紙がリトライであると判断された場合には、ステップ（３）で給紙が完了したかどうかを判断し、ステップ（４）でジャムになっていないかのチェックを行い、ＮＯならばステップ（３）に戻り、ＹＥＳならば、すなわち、給紙完了前にジャムになればそのままステップ（１）に戻る。
【００５６】
一方、ステップ（３）で、給紙が完了したら、ステップ（５）で給紙リトライ回数記憶手段８に記憶された値を「１」カウントアップする。
【００５７】
以上のようにして給紙リトライ回数記憶手段８に記憶されたリトライ回数はビデオコントローラ３からの指示に対応し、ビデオインタフェースを通じて常に外部に出力できる。
【００５８】
これにより、リトライ回数が給紙リトライ回数記憶手段８に記憶されるので、リトライ回数の情報を外部に知らせることができ、給紙機構の劣化が更に進んで、ジャムの頻発を招く前に修理を行うことができる。
【００５９】
〔第２実施例〕
第１実施例では、単に給紙リトライの回数を記憶するだけであったが、本実施例では全給紙回数をも記憶することにより、給紙回数に対するリトライの割合を記憶するように構成してもよい。以下、その実施例について説明する。
【００６０】
本実施例では、図２に示した構成を備える記録装置において、給紙リトライ回数記憶手段８は給紙リトライ回数と共に全給紙回数、及び、給紙リトライ回数カウント手段１４によりリトライ回数を給紙回数で割ったリトライ率を記憶することを特徴としている。
【００６１】
以下、図４に示すフローチャートを参照して本発明に係る記録装置における給紙制御動作について説明する。
【００６２】
図４は本発明に係る記録装置における給紙制御方法の第２実施例を示すフローチャートである。なお、（１）〜（７）は各ステップを示し、給紙リトライ回数カウント手段１４が実行する制御手順に対応する。
【００６３】
まず、ステップ（１）で、いずれかの給紙口で給紙が開始されるまで待つ。給紙が開始されれば、ステップ（２）に進み、リトライ、ジャムになるならないに関わらず給紙を行った回数を１カウントアップする。次いで、ステップ（３）で開始された給紙がリトライかどうかチェックし、リトライでないと判断された場合には、ステップ（１）に戻り次の給紙開始まで待機する。
【００６４】
一方、ステップ（３）で開始された給紙がリトライであると判断された場合には、ステップ（４）で給紙が完了したかどうかを判断し、ステップ（５）でジャムになっていないかのチェックを行い、ＮＯならばステップ（４）に戻り、ＹＥＳならば、すなわち、給紙完了前にジャムになればそのままステップ（１）に戻る。
【００６５】
一方、ステップ（４）で、給紙が完了したら、ステップ（６）で給紙リトライ回数記憶手段８に記憶された値を「１」カウントアップする。さらに、ステップ（７）でリトライ率を、例えば単純に総リトライ数を総給紙回数で割ることで求めて、給紙リトライ回数記憶手段８に記憶して、ステップ（１）に戻る。
【００６６】
以上のようにリトライ率を求めることで、給紙系の異常をより正確に知ることができる。
【００６７】
〔第３実施例〕
上記第１，第２実施例では、給紙口を考慮せずにリトライ回数を記憶する場合について説明したが、リトライ回数を給紙口毎に記憶するように構成してもよい。以下、その実施例について説明する。
【００６８】
図５は本発明の第３実施例を示す記録装置の制御構成を説明するブロック図であり、図２と同一のものには同一の符号を付してある。
【００６９】
図において、給紙リトライ回数記憶手段８内にはカセットリトライ回数記憶手段２０とＭＰＴリトライ回数記憶手段２１を備えている。
【００７０】
このように構成されたエンジン制御部２において、給紙リトライ回数カウント手段１４は給紙口を考慮してリトライ回数を個別にカウントして、そのカウント数をカセットリトライ回数記憶手段２０またはＭＰＴリトライ回数記憶手段２１に記憶させる。
【００７４】
以下、図６に示すフローチャートを参照して本発明に係る記録装置における給紙制御動作について説明する。
【００７５】
図６は本発明に係る記録装置における給紙制御方法の第３実施例を示すフローチャートである。なお、（１）〜（１２）は各ステップを示し、給紙リトライ回数カウント手段１４が実行する制御手順に対応する。
【００７６】
まず、ステップ（１）で、いずれかの給紙口で給紙が開始されるまで待つ。給紙が開始されれば、ステップ（２）に進み、給紙口をチェックし、カセットならば、ステップ（３）でカセット給紙回数を、ＭＰＴ２８ならば、ステップ（４）でＭＰＴ給紙回数をそれぞれカウントアップする。
【００７７】
次いで、ステップ（５）で開始された給紙がリトライかどうかチェックし、リトライでないと判断された場合には、ステップ（１）に戻り次の給紙開始まで待機する。
【００７８】
一方、ステップ（５）で開始された給紙がリトライであると判断された場合には、ステップ（６）で給紙が完了したかどうかを判断し、ステップ（７）でジャムになっていないかのチェックを行い、ＮＯならばステップ（６）に戻り、ＹＥＳならば、すなわち、給紙完了前にジャムになればそのままステップ（１）に戻る。
【００７９】
一方、ステップ（６）で、給紙が完了したら、ステップ（８）で、給紙口をチェックし、カセットならば、ステップ（９）でカセット給紙回数を、ＭＰＴ２８ならば、ステップ（１１）でＭＰＴ給紙回数をそれぞれカウントアップする。
【００８０】
次いで、給紙口がカセットであれば、ステップ（１０）でカセットリトライ率を、例えば単純に総カセットリトライ数を総給紙回数で割ることで求めて、給紙リトライ回数記憶手段８に記憶して、給紙口がＭＰＴ２８であれば、ステップ（１２）でＭＰＴリトライ率を、例えば単純に総ＭＴＰリトライ数を総給紙回数で割ることで求めて、給紙リトライ回数記憶手段８に記憶して、処理を終了する。
【００８１】
以上の制御により、給紙リトライ回数記憶手段８には給紙機構毎の総給紙回数およびリトライ率が記憶され、サービスマン等により容易に読み出すことができ、給紙機構の劣化情報をサービスマンに通知することができる。
【００８２】
上記各実施例では、給紙リトライ回数記憶手段８をエンジン制御部２側に設ける場合について説明したが、給紙リトライ回数記憶手段８をビデオコントローラ３に設けられている不揮発性メモリ２２内に確保して、上記給紙リトライカウント処理をビデオコントローラ３とエンジン制御部２との通信制御により行えるように構成してもよい。以下、その実施例について説明する。
【００８３】
〔第４実施例〕
図７は本発明の第４実施例を示す記録装置の制御構成を説明するブロック図であり、図２と同一のものには同一の符号を付してある。
【００８４】
図において、ビデオコントローラ３の内部にある不揮発性メモリ２２を利用するエンジン制御部２は、ビデオコントローラ主制御部１９に対し、対ビデオコントローラ通信手段７と対エンジンコントローラ通信手段１８とのビデオインタフェース５０を介して要求メモリサイズ、書き込み要求、書き込みデータ転送、データ読み出し要求、読み出しデータ転送を行う。ビデオコントローラ主制御部１９はバスインタフェース４２を介して、エンジン制御部２から送られた書き込みデータを不揮発性メモリ２２内に確保される給紙リトライ回数記憶手段８に記録し、逆に給紙リトライ回数記憶手段８からデータを読み出し、エンジン制御部２に読み出しデータをビデオインタフェース５０を介して転送する。
【００８８】
図８は本発明の第４の実施例を示す記録装置の内部通信処理手順を示す図である。なお、（８０１）〜（８２８）は各タイミングを示す。
【００８９】
先ず、タイミング（８０１）でビデオコントローラ主制御部１９がエンジン制御部２の基本ステータスを要求する。エンジン制御部２はビデオコントローラ３内の不揮発性メモリ２２を使用したい場合、タイミング（８０２）でメモリ使用要求のステータスをセットして、タイミング（８０３）で基本ステータスを送出する。これを受けてビデオコントローラ主制御部１９は、タイミング（８０４）で何の要求であるかをリクエストする要求ステータス要求を行う。
【００９０】
これに対しエンジン制御部２は、タイミング（８０５）でメモリ確保要求ステータスをセットしてタイミング（８０６）でビデオコントローラ主制御部１９に要求ステータスを送出する。ビデオコントローラ主制御部１９はこれをうけてタイミング（８０７）でメモリサイズステータス要求を行う。
【００９１】
これに対してエンジン制御部２はタイミング（８０８）で必要なメモリサイズをセットしてタイミング（８０９）でメモリサイズステータスを送出する。ビデオコントローラ主制御部１９はタイミング（８１０）でこのステータスに示されるサイズ分のデータエリアを不揮発性メモリ２２上に、エンジン制御部専用データ領域として割り当てる。
【００９２】
エンジン制御部２にて例えば、カセット給紙におけるリトライ機能を実行したとすれば、エンジン制御部２はタイミング（８１１）で書き込み要求をセットしてタイミング（８１２）でビデオコントローラ主制御部１９に要求ステータスを送出する。これを受けてビデオコントローラ主制御部１９はタイミング（８１３）で書き込みアドレスを要求するためにアドレス要求を行う。エンジン制御部は、タイミング（８１４）でカセット給紙リトライ回数セーブエリアの不揮発性メモリ８の先頭からの相対アドレスをセットして、タイミング（８１５）でアドレスステータスを送出する。
【００９３】
次に、ビデオコントローラ主制御部１９はタイミング（８１６）で書き込みデータを要求する。エンジン制御部２はタイミング（８１７）で書き込みデータをセットし、タイミング（８１８）で書き込みデータステータスを送出する。ビデオコントローラ主制御部１９はこれを受けて、タイミング（８１９）でこのデータを、先に指定された不揮発性メモリ２２の相対アドレス上に書き込む。
【００９４】
エンジン制御部２は、サービスマン等から図示しないサービス情報取りだし機器を接続された場合、不揮発性メモリ２２からデータを読み出す。
【００９５】
まず、タイミング（８２０）でデータ読み込み要求をセットした要求ステータスを、タイミング（８２１）でビデオコントローラ主制御部１９に送出する。ビデオコントローラ主制御部１９はタイミング（８２２）でアドレス要求し、エンジン制御部２はタイミング（８２３）で相対アドレスをセットし、タイミング（８２４）で読み込みアドレスステータスを送出する。
【００９６】
ビデオコントローラ主制御部１９はこれを受けて、タイミング（８２５）で指定された不揮発性メモリ２２の相対アドレス上からデータを読み込み、タイミング（８２６）でこのデータをエンジン制御部２に送出する。エンジン制御部２はタイミング（８２７）でデータを受け取った後、タイミング（８２８）でデータ受信完了ステータスを送出し、図示しないサービス情報取りだし機器に出力する。
【００９７】
以上によりエンジン制御部２内に不揮発性メモリを持たなくても自己診断情報を電源遮断後も保持可能となり、リトライカウント処理のために敢えてエンジン制御部２内に不揮発性メモリを設ける必要がないので、エンジン制御部２のコストを削減することができる。
【００９８】
なお、本発明は、複数の機器から構成されるシステムに適用しても、１つの機器からなる装置に適用してもよい。また、本発明は、システムあるいは装置にプログラムを供給することによって達成される場合にも適用できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【００９９】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１００】
【発明の効果】
以上説明したように、本発明によれば、画像形成制御手段であるエンジン制御部内に不揮発性メモリを持たなくてもビデオコントローラ部に自己診断情報としての再給紙回数を電源遮断後も保持可能となり、また、エンジン制御部内に不揮発性メモリを設ける必要が無いのでエンジン制御部のコストを削減でき、自己診断情報を外部装置に出力することによってサービスマンに通知できるという効果を奏する。
【図面の簡単な説明】
【図１】本発明を適用可能な記録装置の一例を示す概略断面図である。
【図２】本発明の第１実施例を示す記録装置の制御構成を説明するブロック図である。
【図３】本発明に係る記録装置における給紙制御方法の第１実施例を示すフローチャートである。
【図４】本発明に係る記録装置における給紙制御方法の第２実施例を示すフローチャートである。
【図５】本発明の第３実施例を示す記録装置の制御構成を説明するブロック図である。
【図６】本発明に係る記録装置における給紙制御方法の第３実施例を示すフローチャートである。
【図７】本発明の第４実施例を示す記録装置の制御構成を説明するブロック図である。
【図８】本発明の第４の実施例を示す記録装置の内部通信処理手順を示す図である。
【符号の説明】
２  エンジン制御部
３  ビデオコントローラ
４  用紙搬送制御手段
５  給紙制御手段
８  給紙リトライ回数記憶手段
９  給紙失敗検知手段
１０  カセット給紙制御手段
１１  カセット給紙リトライ判断手段
１２  ＭＰＴ給紙制御手段
１３  ＭＰＴ給紙リトライ判断手段
１４  給紙リトライ回数カウント手段
【図１】
0003715688.tif 000002
【図２】
0003715688.tif 000003
【図３】
0003715688.tif 000004
【図４】
0003715688.tif 000005
【図５】
0003715688.tif 000006
【図６】
0003715688.tif 000007
【図７】
0003715688.tif 000008
【図８】
0003715688.tif 000009